(57)【要約】      （修正有）【課題】誘導ブロックにより、その位置を認識できると共に、そのタグに基づく音声案内によってその位置の位置情報を享受することができる位置情報案内システムを提供する。【解決手段】通路に敷設され、表面に凸部が設けられた誘導ブロック１Ａと、歩行の際に路面を触擦するために使用する白杖２と、データの送受信が可能な通信端末４と、位置情報が格納されたデーターベース５と、耳に取り付けられた発音体３と、を備え、誘導ブロックには、タグ情報がインプットされたＩＣチップ１３が内蔵されており、白杖２の下端には、カードリーダー２３が内蔵されており、白杖２の下端を誘導ブロックに近接させると、カードリーダーが、タグ情報を読み取り、タグ情報を無線回路で無線に変換して通信端末４に送信し、通信端末４が受信したタグ情報をデーターベース５に送信し、タグ情報を受信したデーターベースが格納された情報群からタグ情報に基づく位置情報を通信端末に送信し、通信端末が、位置情報を音声情報に変換して発音体に送信する。【選択図】図５
0003230347.tif 000002
【実用新案登録請求の範囲】
【請求項１】
通路に敷設され、表面に凸部が設けられた誘導ブロックと、
タグ情報がインプットされたＩＣチップと、
歩行の際に路面を触擦するために使用する白杖と、
データの送受信が可能な通信端末と、
位置情報が格納されたデーターベースと、
耳に取り付けられた発音体と、
を備え、
前記誘導ブロックが、凸部を有する第１軟質シート層と、前記第１軟質シート層の裏面に接着剤を介して積層された第２軟質シート層と、を有し、
前記第１軟質シート層の材質がポリウレタン樹脂であり、
前記第２軟質シート層の材質が軟質アルミニウム薄板又は軟質塩化ビニル薄板であり、
前記ＩＣチップが前記凸部と前記第２軟質シート層との間に収容されており、
前記白杖の下端には、カードリーダーが内蔵されており、
前記白杖の下端を前記誘導ブロックに近接させると、前記カードリーダーが、前記タグ情報を読み取り、該タグ情報を無線回路で無線に変換して前記通信端末に送信し、該通信端末が受信したタグ情報をデーターベースに送信し、前記タグ情報を受信した前記データーベースが格納された情報群から前記タグ情報に基づく位置情報を前記通信端末に送信し、前記通信端末が、前記位置情報を音声情報に変換して前記発音体に送信する位置情報案内システム。
【請求項２】
前記誘導ブロックが、前記凸部の内部に充填された固形充填体を有し、
前記ＩＣチップが前記固形充填体の下面に貼着されている請求項１記載の位置情報案内システム。
【請求項３】
通路に敷設され、表面に凸部が設けられた誘導ブロックと、
タグ情報がインプットされたＩＣチップと、
歩行の際に路面を触擦するために使用する白杖と、
データの送受信が可能な通信端末と、
位置情報が格納されたデーターベースと、
耳に取り付けられた発音体と、
を備え、
前記誘導ブロックが、凸部を有する第１軟質シート層と、前記第１軟質シート層の裏面に接着剤を介して積層された第２軟質シート層と、を有し、
前記第１軟質シート層の材質がポリウレタン樹脂であり、
前記第２軟質シート層の材質が軟質アルミニウム薄板又は軟質塩化ビニル薄板であり、
前記ＩＣチップが隣り合う凸部同士の間において、前記第１軟質シート層と前記第２軟質シート層とに挟持されており、
前記白杖の下端には、カードリーダーが内蔵されており、
前記白杖の下端を前記誘導ブロックに近接させると、前記カードリーダーが、前記タグ情報を読み取り、該タグ情報を無線回路で無線に変換して前記通信端末に送信し、該通信端末が受信したタグ情報をデーターベースに送信し、前記タグ情報を受信した前記データーベースが格納された情報群から前記タグ情報に基づく位置情報を前記通信端末に送信し、前記通信端末が、前記位置情報を音声情報に変換して前記発音体に送信する位置情報案内システム。
【請求項４】
前記通信端末が表示部を有する移動式携帯電話端末であり、
前記位置情報を受信した際に、該位置情報が前記表示部に表示されるものであり、
前記発音体が、骨伝導方式イヤフォンである請求項１〜３のいずれか１項に記載の位置情報案内システム。
【請求項５】
前記誘導ブロックには、ビーコン装置が更に内蔵されており、
前記通信端末を前記誘導ブロックに近接させると、ビーコン装置がビーコン信号を前記通信端末に送信し、該通信端末が受信したビーコン信号をデーターベースに送信し、前記ビーコン信号を受信した前記データーベースが格納された情報群から前記ビーコン信号に基づく位置情報を前記通信端末に送信し、前記通信端末が、前記位置情報を音声情報に変換して前記発音体に送信する請求項１〜４のいずれか１項に記載の位置情報案内システム。
【考案の詳細な説明】
【技術分野】
【０００１】
本考案は、位置情報案内システムに関し、更に詳しくは、視覚障害者が誘導ブロックにより、その位置を認識できると共に、音声案内によってその位置の位置情報を享受することができる位置情報案内システムに関する。
【背景技術】
【０００２】
視覚障害者を安全に誘導案内するシステムが種々開発されている。
例えば、音声を認識する音声認識手段と、該音声認識手段からの情報に基づいて目的地を探索するナビゲーション機能を持った処理装置と、該処理装置から探索された目的地を音声合成して報知する報知手段と、受信装置とを有する携帯端末装置と、タグリーダーと送信装置とを有する案内用杖と、目的地に至るまでの所定の位置に配置される位置情報を記憶したタグとを具備する視覚障害者用誘導案内システムが知られている（例えば、特許文献１〜４参照）。
【０００３】
また、天井８に設けた受信装置３により杖部９ａから同時に送信される赤外線信号および超音波信号をそれぞれ受信して杖部９ａの位置を検出し、誘導案内サーバー１は検出した杖部９ａの位置に基づく誘導案内情報を送受信装置２から携帯端末部９ｂへ送信し、利用者は携帯端末部９ｂのイヤフォン１２から音声出力される誘導案内情報に従って目的の場所まで移動することができる誘導案内システムが知られている（例えば、特許文献５参照）。
【先行技術文献】
【特許文献】
【０００４】
【特許文献１】特開平１１−２７６５１６号公報
【特許文献２】特開平１１−３４７０６１号公報
【特許文献３】特開２０００−２６２号公報
【特許文献４】特開２００５−４６６０７号公報
【特許文献５】特開２００２−３３６２９３号公報
【考案の概要】
【考案が解決しようとする課題】
【０００５】
しかしながら、特許文献１〜４に記載の視覚障害者用誘導案内システムにおいて、視覚障害者が、位置情報を記憶したタグの配置位置を認識することは容易とはいえず、その結果、当該視覚障害者用誘導案内システムを利用できない場合がある。
また、特許文献５記載の誘導案内システムは、天井に受信装置を設ける必要があるため、天井がある場所に制限されるという欠点がある。
【０００６】
本考案は上記事情に鑑みてなされたものであり、天井の有無に拘らず、視覚障害者が誘導ブロックにより、その位置を認識できると共に、タグの配置位置も容易に認識することができ、且つ、そのタグに基づく音声案内によってその位置の位置情報を享受することができる位置情報案内システムを提供することを目的とする。
【課題を解決するための手段】
【０００７】
本考案者等は、上記課題を解決するため鋭意検討したところ、視覚障害者を案内する誘導ブロックに、ＩＣチップを内蔵することにより、上記課題を解決し得ることを見出し、本考案を完成させるに至った。
【０００８】
本考案は、（１）通路に敷設され、表面に凸部が設けられた誘導ブロックと、タグ情報がインプットされたＩＣチップと、歩行の際に路面を触擦するために使用する白杖と、データの送受信が可能な通信端末と、位置情報が格納されたデーターベースと、耳に取り付けられた発音体と、を備え、誘導ブロックが、凸部を有する第１軟質シート層と、第１軟質シート層の裏面に接着剤を介して積層された第２軟質シート層と、を有し、第１軟質シート層の材質がポリウレタン樹脂であり、第２軟質シート層の材質が軟質アルミニウム薄板又は軟質塩化ビニル薄板であり、ＩＣチップが凸部と第２軟質シート層との間に収容されており、白杖の下端には、カードリーダーが内蔵されており、白杖の下端を誘導ブロックに近接させると、カードリーダーが、タグ情報を読み取り、該タグ情報を無線回路で無線に変換して通信端末に送信し、該通信端末が受信したタグ情報をデーターベースに送信し、タグ情報を受信したデーターベースが格納された情報群からタグ情報に基づく位置情報を通信端末に送信し、通信端末が、位置情報を音声情報に変換して発音体に送信する位置情報案内システムに存する。
【０００９】
本考案は、（２）誘導ブロックが、凸部の内部に充填された固形充填体を有し、ＩＣチップが固形充填体の下面に貼着されている上記（１）記載の位置情報案内システムに存する。
【００１０】
本考案は、（３）通路に敷設され、表面に凸部が設けられた誘導ブロックと、タグ情報がインプットされたＩＣチップと、歩行の際に路面を触擦するために使用する白杖と、データの送受信が可能な通信端末と、位置情報が格納されたデーターベースと、耳に取り付けられた発音体と、を備え、誘導ブロックが、凸部を有する第１軟質シート層と、第１軟質シート層の裏面に接着剤を介して積層された第２軟質シート層と、を有し、第１軟質シート層の材質がポリウレタン樹脂であり、第２軟質シート層の材質が軟質アルミニウム薄板又は軟質塩化ビニル薄板であり、ＩＣチップが隣り合う凸部同士の間において、第１軟質シート層と第２軟質シート層とに挟持されており、白杖の下端には、カードリーダーが内蔵されており、白杖の下端を誘導ブロックに近接させると、カードリーダーが、タグ情報を読み取り、該タグ情報を無線回路で無線に変換して通信端末に送信し、該通信端末が受信したタグ情報をデーターベースに送信し、タグ情報を受信したデーターベースが格納された情報群からタグ情報に基づく位置情報を通信端末に送信し、通信端末が、位置情報を音声情報に変換して発音体に送信する位置情報案内システムに存する。
【００１１】
本考案は、（４）通信端末が表示部を有する移動式携帯電話端末であり、位置情報を受信した際に、該位置情報が表示部に表示されるものであり、発音体が、骨伝導方式イヤフォンである上記（１）〜（３）のいずれか１つに記載の位置情報案内システムに存する。
【００１２】
本考案は、（５）誘導ブロックには、ビーコン装置が更に内蔵されており、通信端末を誘導ブロックに近接させると、ビーコン装置がビーコン信号を通信端末に送信し、該通信端末が受信したビーコン信号をデーターベースに送信し、ビーコン信号を受信したデーターベースが格納された情報群からビーコン信号に基づく位置情報を通信端末に送信し、通信端末が、位置情報を音声情報に変換して発音体に送信する上記（１）〜（４）のいずれか１つに記載の位置情報案内システムに存する。
【考案の効果】
【００１３】
本考案の位置情報案内システムにおいては、視覚障害者を案内する誘導ブロックに、ＩＣチップを内蔵することにより、視覚障害者が誘導ブロックにより現在居る位置を認識できると共に、当該誘導ブロックに、タグ情報がインプットされたＩＣチップが内蔵されているので、タグ情報が得られる位置を容易に認識することができる。
また、カードリーダーが、タグ情報を読み取り、該タグ情報を無線回路で無線に変換して通信端末に送信し、該通信端末が受信したタグ情報を、インターネットを介してデーターベースに送信し、タグ情報を受信したデーターベースが格納された情報群からタグ情報に基づく位置情報を、インターネットを介して通信端末に送信し、通信端末が、位置情報を音声情報に変換して発音体に送信することにより、その位置の位置情報を音声案内により享受することができる。
さらに、ＩＣチップの設置位置は、誘導ブロックを設置可能な場所であれば、天井の有無に制限されない。すなわち、ＩＣチップの設置位置は、屋内、屋外を問わない。
【００１４】
本考案の位置情報案内システムにおいては、誘導ブロックが、凸部を有する第１軟質シート層と、 該凸部の内部に充填された固形充填体と、第１軟質シート層の裏面に接着剤を介して積層された第２軟質シート層と、からなる場合、十分な高さの凸部を容易に形成することができる。その結果、視覚障害者は、誘導ブロックの上を歩くことにより、凸部を十分に感じることができ、通路の方向や目的物の位置を知ることができる。
【００１５】
ここで、ＩＣチップが固形充填体の下面に貼着されている場合、凸部が十分な高さを有しているので、白杖の下端を誘導ブロックの凸部に簡単に近接させることができる。これにより、白杖の下端に内蔵されたカードリーダーが、凸部の固形充填体の下面に貼着されたＩＣチップからタグ情報を確実に読み取ることができる。
また、凸部が踏まれたとしても、固形充填体がクッションとなり、且つ、ＩＣチップにかかる押圧を分散するため、ＩＣチップの破損等を防止することができる。
【００１６】
一方、ＩＣチップが隣り合う凸部同士の間において、第１軟質シート層と第２軟質シート層とに挟持されている場合、歩行者が誘導ブロックを踏んだとしても、凸部が歩行者を支持することになるので、凸部間に配置されたＩＣチップがダメージを受けることを抑制することができる。
【００１７】
本考案の位置情報案内システムにおいては、通信端末が移動式携帯電話端末である場合、汎用性に優れる。
また、通信端末が、表示部を有し、位置情報を受信した際に、該位置情報が表示部に表示される場合、視覚障害者が音声案内を聴く際に、視覚障害者の付添者等がその内容を表示部で確認することができる。
【００１８】
本考案の位置情報案内システムにおいては、発音体が、骨伝導方式イヤフォンである場合、難聴者であっても、確実に音声案内を享受することができる。
【００１９】
本考案の位置情報案内システムにおいては、誘導ブロックには、ビーコン装置が更に内蔵されている場合、上述したＩＣチップによるタグ情報に基づく位置情報だけでなく、ビーコン装置が送信するビーコン信号に基づく位置情報も受信することができる。
したがって、より多くの情報を異なる経路で受信することができる。
また、通信端末は、その位置情報を音声情報に変換して発音体に送信することにより、その位置の位置情報を音声案内により享受することができる。
【図面の簡単な説明】
【００２０】
【図１】図１は、本考案に係る位置情報案内システムを用いるために必要な構成の第１実施形態を説明するための説明図である。
【図２】図２は、第１実施形態に係る位置情報案内システムに用いられる誘導ブロックを示す断面図である。
【図３】図３は、第１実施形態に係る位置情報案内システムに用いられる白杖を示す側面図である。
【図４】図４は、第１実施形態に係る位置情報案内システムを用いた案内方法を示すフローチャートである。
【図５】図５は、第１実施形態に係る位置情報案内システムを説明するための説明図である。
【図６】図６は、第２実施形態に係る位置情報案内システムに用いられる誘導ブロックを示す断面図である。
【考案を実施するための形態】
【００２１】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２２】
（第１実施形態）
図１は、本考案に係る位置情報案内システムを用いるために必要な構成の第１実施形態を説明するための説明図である。
図１に示すように、第１実施形態に係る位置情報案内システムは、通路に敷設され、表面に凸部が設けられた誘導ブロック１Ａと、歩行の際に路面を触擦するために使用する白杖２と、データの送受信が可能な通信端末４と、位置情報が格納されたデーターベース（図示しない）と、耳に取り付けられた発音体３と、を備えている。
【００２３】
第１実施形態に係る位置情報案内システムによれば、視覚障害者を案内する誘導ブロック１Ａに、ＩＣチップを内蔵することにより、視覚障害者が誘導ブロック１Ａにより現在居る位置を認識できると共に、当該誘導ブロック１Ａに、タグ情報がインプットされたＩＣチップが内蔵されているので、タグ情報が得られる位置を容易に認識することができる。
【００２４】
図２は、第１実施形態に係る位置情報案内システムに用いられる誘導ブロックを示す断面図である。
図２に示すように、誘導ブロック１Ａは、凸部１０を有する第１軟質シート層１１と、該凸部１０の内部に充填された固形充填体１５及び当該固形充填体１５の下面に貼着されたＩＣチップ１３と、第１軟質シート層１１及びＩＣチップ１３の裏面に接着剤を介して積層された第２軟質シート層１２と、からなる。
したがって、誘導ブロック１Ａにおいては、凸部１０にＩＣチップ１３が収容されている。
【００２５】
誘導ブロック１Ａは、凸部１０の内側に、別途製造した固形充填体１５を充填させることにより、強度に優れる十分な高さの凸部１０を形成することができる。
なお、凸部１０の高さＨは、凹凸の触覚差を明確にする観点から、警告表示の場合は５ｍｍ以上、誘導表示の場合は０．５ｍｍ以上であることが好ましい。
これにより、視覚障害者が誘導ブロック１Ａの凸部１０の上を歩くことにより、凸部１０と非凸部１０との触覚差を十分に感じることができ、通路の方向や目的物の位置を知ることができる。
【００２６】
第１軟質シート層１１の材質としては、シリコーン樹脂、ポリアクリル樹脂、ポリアミド樹脂、ポリウレタン樹脂、塩化ビニル樹脂又はポリエステルエラストマー等が挙げられる。
これらの中でも、第１軟質シート層１１の材質は、高強度であり且つ軽量であることから、ポリウレタン樹脂又は塩化ビニル樹脂からなることが好ましく、伸縮性の観点から、ポリウレタン樹脂からなることがより好ましい。
なお、第１軟質シート層１１に紫外線吸収剤、消泡剤、分散剤、難燃剤、着色剤等を添加することも可能である。
【００２７】
第１軟質シート層１１は、一定の間隔をおいて、凸部１０が形成されている。
かかる凸部１０は、第１軟質シート層１１の面方向に対して、垂直方向（上方）に突出しており、内部が空間となっている。
【００２８】
固形充填体１５は、凸部１０の内部空間に、アクリル系等の接着剤を介して、充填されている。
これにより、誘導ブロック１Ａの耐久性が向上する。
ここで、固形充填体１５の材質としては、ポリウレタン樹脂、塩化ビニル樹脂、ポリエステル樹脂及びポリアミド樹脂からなる群より選ばれる少なくとも１種の樹脂が挙げられる。
これらを用いることにより、凸部１０は、強度及び耐久性にもより優れるものとなる。
【００２９】
ＩＣチップ１３は、凸部１０の内部空間に充填される固形充填体１５の下面に粘着剤を介して貼着されている。すなわち、ＩＣチップ１３は、凸部１０の内部空間において、第２軟質シート層１２と、固形充填体１５との間で挟持されている。
上述したように、誘導ブロック１Ａにおいては、凸部１０が十分な高さを有しているので、白杖２の下端を誘導ブロック１Ａの凸部１０に簡単に近接させることができる。これにより、白杖２の下端に内蔵されたカードリーダーが、当該ＩＣチップ１３からタグ情報を確実に読み取ることができる。
また、歩行者が誘導ブロック１Ａの凸部１０を踏んだとしても、固形充填体１５がクッションとなり、且つ、ＩＣチップ１３にかかる押圧を分散するため、ＩＣチップ１３へのダメージが軽減され、ＩＣチップ１３の破損等を防止することができる。
【００３０】
第２軟質シート層１２の材質としては、軟質アルミニウム薄板、軟質塩化ビニル薄板、ポリエステル薄板、ゴムシート等が挙げられる。
これらの中でも、第２軟質シート層１２の材質が、軟質アルミニウム薄板である場合、復元性がなく、塑性して変形し形態を保持できるため（形態保持効果）、設置個所の形状に追従させ且つその状態を無理なく保持させることが可能となる。
例えば、設置個所の形状が階段のように折れ曲がった部分であっても、誘導ブロック１Ａの形状を、設置個所の形状に追従させて貼着することが容易に可能となる。
また、第２軟質シート層１２の材質が、軟質塩化ビニル薄板である場合、軟質塩化ビニルに、紫外線吸収剤、消泡剤、分散剤、難燃剤、着色剤等を容易に添加することができる。
【００３１】
誘導ブロック１Ａは、例えば、従来の誘導ブロックと同様に、粘着剤等を介して、案内が必要な地面や床面に敷設される。
したがって、ＩＣチップ１３の設置位置は、誘導ブロック１Ａを設置可能な場所であれば、天井の有無に制限されない。
【００３２】
白杖２は、視覚障害者が歩行の際に、路面を触擦するために使用する白い杖である。
図３は、第１実施形態に係る位置情報案内システムに用いられる白杖を示す側面図である。
図３に示すように、白杖２は、棒状の本体部２０と、本体部２０の上端に設けられ当該白杖２を把持するためのグリップ部２１と、本体部２０の下端に設けられた石突部２２とからなる。
【００３３】
白杖２において、石突部２２には、カードリーダー（図示しない）と無線回路（図示しない）が内蔵されている。
かかるカードリーダーは、上述したＩＣチップ１３に近接させると、ＩＣチップ１３にインプットされたタグ情報を読み取るようになっており、無線回路は、当該タグ情報を無線に変換して後述する通信端末に送信するようになっている。
【００３４】
通信端末としては、汎用性の観点から、移動式携帯電話端末が好適に用いられる。
移動式携帯電話端末は、白杖に設けられたカードリーダーと位置情報が格納されたデーターベース、及び、そのデーターベースと発音体、をそれぞれ無線で連絡する働きをする。
なお、データーベースは、インターネット上のコンピューターにより実現される。
ここで、移動式携帯電話端末（通信端末）は、表示部を有しているので、位置情報を受信した際に、該位置情報が表示部に表示することができる。
これにより、視覚障害者が音声案内を聴く際に、視覚障害者の付添者等がその内容を表示部で確認することが可能となる。
【００３５】
発音体としては、特に限定されず、例えば、ステレオフォンやイヤフォン等が挙げられる。
これらの中でも、発音体は、骨伝導方式イヤフォンであることが好ましい。
この場合、難聴者であっても、確実に音声案内を享受することが可能となる。
【００３６】
次に、位置情報案内システムを用いた案内方法について説明する。
図４は、第１実施形態に係る位置情報案内システムを用いた案内方法を示すフローチャートであり、図５は、第１実施形態に係る位置情報案内システムを説明するための説明図である。
【００３７】
図４に示すように、位置情報案内システムを用いた案内方法は、第１ステップＳ１、第２ステップＳ２、第３ステップＳ３、第４ステップＳ４及び第５ステップＳ５からなる。
まず、白杖２の下端を誘導ブロック１Ａの凸部１０に近接させる（第１ステップＳ１）。
そうすると、誘導ブロック１Ａに内蔵されたＩＣチップ１３は、白杖２からのマイクロ波を電源に変換して起動する。
【００３８】
このとき、図５に示すように、白杖２に内蔵されたカードリーダー２３は、ＩＣチップ１３のメモリからタグ情報を読み取る。
そして、カードリーダー２３は、当該タグ情報を無線回路（例えば、Ｂｌｕｅｔｏｏｔｈ（登録商標）回路）で無線に変換し、それを通信端末４に送信する（第２ステップＳ２）。
【００３９】
次に、通信端末４は、受信したタグ情報を、インターネット（例えば、Ｗｉ−Ｆｉ（登録商標）等の公衆無線ＬＡＮ）を介して、データーベース５に送信する（第３ステップＳ３）。
そうすると、データーベース５は、格納された情報群の中から、受信したタグ情報に基づく位置情報を選択し、それを、インターネット（例えば、Ｗｉ−Ｆｉ等の公衆無線ＬＡＮ）を介して、再び通信端末４に送信する（第４ステップＳ４）。
【００４０】
次に、通信端末４（例えば、移動式携帯電話端末）は、受信した位置情報を、表示部に表示すると共に、音声情報に変換して発音体に送信する（第５ステップＳ５）。
位置情報案内システムを用いた案内方法は、これらの第１ステップ、第２ステップ、第３ステップ、第４ステップ及び第５ステップを経ることにより、視覚障害者が、その位置の位置情報を音声案内により享受することが可能となる。
【００４１】
（第２実施形態）
第２実施形態に係る位置情報案内システムは、通路に敷設され、表面に凸部が設けられた誘導ブロック１Ｂと、歩行の際に路面を触擦するために使用する白杖２と、データの送受信が可能な通信端末４と、位置情報が格納されたデーターベース（図示しない）と、耳に取り付けられた発音体３と、を備えている。
すなわち、第２実施形態に係る位置情報案内システムは、誘導ブロック１Ｂの構造が異なること以外は、第１実施形態に係る位置情報案内システムと同じである。
【００４２】
図６は、第２実施形態に係る位置情報案内システムに用いられる誘導ブロックを示す断面図である。
図６に示すように、誘導ブロック１Ｂは、凸部１０を有する第１軟質シート層１１と、 該凸部１０の内部に充填された固形充填体１５と、第１軟質シート層１１及び固形充填体１５の裏面に接着剤を介して積層された第２軟質シート層１２と、隣り合う凸部１０同士の間において第１軟質シート層１１と第２軟質シート層１２とに挟持されたＩＣチップ１３と、からなる。
したがって、誘導ブロック１Ｂにおいては、凸部１０同士の間にＩＣチップ１３が収容されている。
【００４３】
誘導ブロック１Ｂは、凸部１０の内側に、別途製造した固形充填体１５を充填させることにより、上述した第１実施形態に係る位置情報案内システムに用いられる誘導ブロック１Ａと同様に、強度に優れる十分な高さの凸部１０を形成することができる。
【００４４】
上述したように、誘導ブロック１Ｂにおいては、凸部１０が十分な高さを有しているので、白杖２の下端を誘導ブロック１Ｂの凸部１０に簡単に近接させることができる。これにより、白杖２の下端に内蔵されたカードリーダーが、当該ＩＣチップ１３からタグ情報を確実に読み取ることができる。
また、ＩＣチップ１３が、隣り合う凸部１０同士の間において、第１軟質シート層１１と第２軟質シート層１２とに挟持されているので、歩行者が誘導ブロック１Ｂを踏んだとしても、凸部１０が歩行者を支持することになり、凸部１０間に配置されたＩＣチップ１３がダメージを受けることを抑制することができる。
【００４５】
以上、本考案の好適な実施形態について説明したが、本考案は上述した実施形態に限定されるものではない。
【００４６】
例えば、本実施形態に係る位置情報案内システムにおいて、誘導ブロック１Ａ，１Ｂは、少なくとも、凸部を有する第１軟質シート層と、該凸部の内部に充填された固形充填体と、第１軟質シート層の裏面に接着剤を介して積層された第２軟質シート層とを有しているが、ＩＣチップを内蔵可能であれば、この構造に限定されない。
【００４７】
本実施形態に係る位置情報案内システムにおいて、誘導ブロック１Ａ，１Ｂは、凸部１０の内部空間に、接着剤を介して、固形充填体１５が充填されているが、接着剤を介さなくてもよい。
すなわち、固形充填体１５が凸部１０の内部空間に接着固定されていなくてもよい。
また、固形充填体１５を別途製造しているが、凸部１０に紫外線硬化樹脂を流し込み、紫外線硬化させることにより、凸部１０に充填された固形充填体１５としてもよい。
この場合、接着剤を介さなくても両者を一体化させることができる。
【００４８】
本実施形態に係る位置情報案内システムにおいて、誘導ブロック１Ａ，１Ｂは、第１軟質シート層１１と第２軟質シート層１２とが接着剤を介して接着固定されているが、接着剤を用いず、第１軟質シート層１１と第２軟質シート層１２とを互いに溶着により接着固定してもよい。
すなわち、第１軟質シート層１１と第２軟質シート層１２とに対し、ラミネート加工等を施して両者を接着固定してもよい。
但し、この場合、第２軟質シート層１２としては、第１軟質シート層１１と相溶性が優れる樹脂を用いることが必要となる。
【００４９】
本実施形態に係る位置情報案内システムにおいて、通信端末として、移動式携帯電話端末が用いられているが、送受信可能であれば、これに限定されない。
また、通信端末が表示部を有しているが、必ずしも必須の構成ではない。
【００５０】
本実施形態に係る位置情報案内システムにおいては、誘導ブロックにビーコン装置が更に内蔵されていてもよい。
この場合、通信端末を誘導ブロックに近接させると、ビーコン装置がビーコン信号を通信端末に送信し、該通信端末が受信したビーコン信号をデーターベースに送信し、ビーコン信号を受信したデーターベースが格納された情報群からビーコン信号に基づく位置情報を通信端末に送信し、通信端末が、位置情報を音声情報に変換して発音体に送信することになる。
これにより、位置情報案内システムにおいては、ＩＣチップによるタグ情報に基づく位置情報だけでなく、ビーコン装置が送信するビーコン信号に基づく位置情報も受信することができ、通信端末がその位置情報を音声情報に変換して発音体に送信するので、その位置の位置情報を音声案内により享受することができる。
なお、ＩＣチップは、カードリーダーの近接により起動するものであるのに対し、ビーコン装置は内蔵された電池で起動するものであるため、例えば、ＩＣチップとカードリーダーとの感知不良、又は、ビーコン装置の電池不足により一方に不良が生じたとしても、他方が位置情報を読み込むことができる。
【産業上の利用可能性】
【００５１】
本考案に係る位置情報案内システムは、特に視覚障害者を安全に誘導案内するシステムとして利用される。
本考案に係る位置情報案内システムによれば、天井の有無に拘らず、視覚障害者が誘導ブロックにより、その位置を認識できると共に、タグの配置位置も容易に認識することができ、且つ、そのタグに基づく音声案内によってその位置の位置情報を享受することができる。
【符号の説明】
【００５２】
１Ａ，１Ｂ・・・誘導ブロック
１０・・・凸部
１１・・・第１軟質シート層
１２・・・第２軟質シート層
１３・・・ＩＣチップ
１５・・・固形充填体
２・・・白杖
２０・・・本体部
２１・・・グリップ部
２２・・・石突部
２３・・・カードリーダー
３・・・発音体
４・・・通信端末
５・・・データーベース
Ｈ・・・高さ
Ｓ１・・・第１ステップ
Ｓ２・・・第２ステップ
Ｓ３・・・第３ステップ
Ｓ４・・・第４ステップ
Ｓ５・・・第５ステップ
【図１】
0003230347.tif 000003
【図２】
0003230347.tif 000004
【図３】
0003230347.tif 000005
【図４】
0003230347.tif 000006
【図５】
0003230347.tif 000007
【図６】
0003230347.tif 000008